【手続補正書】
【提出日】平成18年4月26日(2006.4.26)
【手続補正１】
【補正対象書類名】特許請求の範囲
【補正対象項目名】請求項１
【補正方法】変更
【補正の内容】
【請求項１】
所定の変動開始条件の成立により、各々が識別可能な複数種類の識別情報の変動表示画像を画像表示装置に表示する変動表示制御手段を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データを記憶する画像データ記憶手段と、
前記画像データ記憶手段に記憶された前記識別情報の種類と配列を特定するための識別情報配列特定情報を記憶する特定データ記憶手段と、
前記画像表示装置上の識別情報の変動速度と、該識別情報の配列に関する変動方向とを指定する変動速度方向指定手段と、
前記画像表示装置上で、表示する識別情報を特定するための表示領域の大きさを特定する表示領域特定手段と、
前記変動速度方向指定手段により指定された変動速度と変動方向と、前記特定データ記憶手段に記憶されている前記識別情報配列特定情報により特定される識別情報の配列とに従って、表示対象の識別情報の配列情報を特定し、特定した配列情報に基づいて、前記表示領域特定手段により特定された大きさの表示領域内の表示対象の画像データを特定する画像データ特定手段と、
識別情報の変動表示結果となる最終停止識別情報を決定する停止識別情報決定手段と、
前記変動速度方向指定手段により指定する識別情報の変動方向として予め定めた第１の変動方向を指定する第１変動方向指定データと、前記第１の変動方向の戻り方向となる第２の変動方向を指定する第２変動方向指定データと、第２変動方向指定データに基づいて、識別情報が第２の変動方向に変動する際の戻り位置を識別情報毎に指定する識別情報毎の戻り位置データと、前記停止識別情報決定手段により決定された最終停止識別情報の最終停止位置を指定する停止位置データと、を記憶する制御データ記憶手段と、
を備え、
前記変動表示制御手段は、
前記識別情報の変動表示の開始から変動の停止までの間、前記制御データ記憶手段に記憶された第１変動方向指定データに基づいて、前記画像データ特定手段により特定された画像データを読み出して表示画像を生成し、前記画像表示装置に出力する処理を順次繰り返すことにより、第１の変動方向へ変動する識別情報の変動表示処理を行い、前記停止識別情報決定手段により決定された識別情報で停止する際には、前記制御データ記憶手段に記憶された第２変動方向指定データと停止する識別情報に応じた戻り位置データとに基づいて、前記画像データ特定手段により特定される画像データを読み出して表示画像を生成し、前記画像表示装置に出力する処理を順次繰り返すことにより、識別情報に応じた戻り位置まで第２の変動方向へ変動する識別情報の変動表示を行い、前記制御データ記憶手段に記憶されている第１の変動方向指定データと停止位置データとに基づいて、前記画像データ特定手段により特定された画像データを読み出して、表示画像を生成し、前記画像表示装置に出力する処理を順次繰り返すことにより、最終停止位置まで第１の変動方向へ変動する識別情報の変動表示処理を行う、
ことを特徴とする遊技機。
【手続補正２】
【補正対象書類名】特許請求の範囲
【補正対象項目名】請求項３
【補正方法】変更
【補正の内容】
【請求項３】
前記画像データ特定手段は計時手段を備え、前記計時手段が所定時間を計時する度に、前記特定データ記憶手段に記憶された前記特定情報に従って異なる表示態様で識別情報を表示するための画像データを特定する、ことを特徴とする請求項２に記載の遊技機。
【手続補正３】
【補正対象書類名】特許請求の範囲
【補正対象項目名】請求項４
【補正方法】変更
【補正の内容】
【請求項４】
前記識別情報は、第１の表示画像と第２表示画像との２つの表示画像から構成され、
前記画像データ記憶手段は、各識別情報について、第１表示画像の画像データと、第２表示画像の画像データとを記憶し、
前記画像データ特定手段は、各前記識別情報について、変動表示の開始から変動の停止までの間で所定の演出表示条件が成立した後の所定の演出表示期間には、 第１と第２の表示画像のうちから１つの表示画像を特定し、変動表示の開始から変動の停止までの間の前記演出表示期間以外の通常表示期間には、２つの表示画像を特定し、
前記変動表示制御手段は、前記通常表示期間には、前記画像データ特定手段により特定された２つの表示画像の画像データを前記画像データ記憶手段より読み出して表示画像を生成し、画像表示装置に出力する処理を順次繰り返し、前記演出表示期間には、前記特定手段により特定された１つの表示画像の画像データを前記画像データ記憶手段より読み出して表示画像を生成し、画像表示装置に出力する処理を順次繰り返す、
ことを特徴とする請求項１、２又は３に記載の遊技機。
【手続補正４】
【補正対象書類名】特許請求の範囲
【補正対象項目名】請求項６
【補正方法】変更
【補正の内容】
【請求項６】
コンピュータを、
所定の変動開始条件の成立により、各々が識別可能な複数種類の識別情報の変動表示画像を画像表示装置に表示する変動表示制御手段を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データを記憶する画像データ記憶手段、
前記画像データ記憶手段に記憶された前記識別情報の種類と配列を特定するための識別情報配列特定情報を記憶する特定データ記憶手段、
前記画像表示装置上の識別情報の変動速度と、該識別情報の配列に関する変動方向とを指定する変動速度方向指定手段、
前記画像表示装置上で、表示する識別情報を特定するための表示領域の大きさを特定する表示領域特定手段、
前記変動速度方向指定手段により指定された変動速度と変動方向と、前記特定データ記憶手段に記憶されている前記識別情報配列特定情報により特定される識別情報の配列とに従って、表示対象の識別情報の配列情報を特定し、特定した配列情報に基づいて、前記表示領域特定手段により特定された大きさの表示領域内の表示対象の画像データを特定する画像データ特定手段、
識別情報の変動表示結果となる最終停止識別情報を決定する停止識別情報決定手段、
前記変動速度方向指定手段により指定する識別情報の変動方向として予め定めた第１の変動方向を指定する第１変動方向指定データと、前記第１の変動方向の戻り方向となる第２の変動方向を指定する第２変動方向指定データと、前記第２変動方向指定データに基づいて、識別情報が第２の変動方向に変動する際の戻り位置を識別情報の毎に指定する識別情報毎の戻り位置データと、前記停止識別情報決定手段により決定された最終停止識別情報の最終停止位置を指定する停止位置データと、を記憶する制御データ記憶手段、
として機能させ、
さらに、
前記変動表示制御手段が、
前記識別情報の変動表示の開始から変動の停止までの間、前記制御データ記憶手段に記憶された第１変動方向指定データに基づいて、前記画像データ特定手段により特定された画像データを読み出して表示画像を生成し、前記画像表示装置に出力する処理を順次繰り返すことにより、第１の変動方向へ変動する識別情報の変動表示処理を行い、前記停止識別情報決定手段により決定された識別情報で停止する際には、前記制御データ記憶手段に記憶された第２変動方向指定データと停止する識別情報に応じた戻り位置データとに基づいて、前記画像データ特定手段により特定される画像データを読み出して表示画像を生成し、前記画像表示装置に出力する処理を順次繰り返すことにより、識別情報に応じた戻り位置まで第２の変動方向へ銅変動する識別情報の変動表示を行い、前記制御データ記憶手段に記憶されている第１変動方向指定データと停止位置データとに基づいて、前記画像データ特定手段により特定された画像データを読み出して、表示画像を生成し、前記画像表示装置に出力する処理を順次繰り返すことにより、最終停止位置まで第１の変動方向へ変動する識別情報の変動表示処理を行う、
ようにコンピュータを制御するコンピュータプログラム。
【手続補正５】
【補正対象書類名】明細書
【補正対象項目名】００１１
【補正方法】変更
【補正の内容】
【００１１】
上記目的を達成するため、請求項１に記載の遊技機は、
所定の変動開始条件の成立により、各々が識別可能な複数種類の識別情報の変動表示画像を画像表示装置に表示する変動表示制御手段（例えば、主基板１１及び表示制御基板１２）を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データ（絵のデータ）を記憶する画像データ記憶手段（例えば、画像ＲＯＭ１３７）と、
前記画像データ記憶手段に記憶された前記識別情報の種類と配列を特定するための識別情報配列特定情報（特別図柄の番号０〜９）を記憶する特定データ記憶手段（例えば、制御ＲＯＭ１３４）と、
前記画像表示装置上の識別情報の変動速度と、該識別情報の配列に関する変動方向とを指定する変動速度方向指定手段（ＣＰＵ１３３と表示制御データを格納している制御ＲＯＭ１３４）と、
前記画像表示装置上で、表示する識別情報を特定するための表示領域の大きさ（サイズ）を特定する表示領域特定手段（例えば、ＣＰＵ１３３と制御ＲＯＭ１３４）と、
前記変動速度方向指定手段により指定された変動速度と変動方向と、前記特定データ記憶手段に記憶されている前記識別情報配列特定情報により特定される識別情報の配列とに従って、表示対象の識別情報の配列情報を特定し、特定した配列情報に基づいて、前記表示領域特定手段により特定された大きさの表示領域内の表示対象の画像データを特定する画像データ特定手段（例えば、ＣＰＵ１３３と表示制御データを格納している制御ＲＯＭ１３４）と、
識別情報の変動表示結果となる最終停止識別情報を決定する停止識別情報決定手段（例えば、遊技制御用マイコン１００）と、
前記変動速度方向指定手段により指定する識別情報の変動方向として予め定めた第１の変動方向（例えば、下方向）を指定する第１変動方向指定データと、前記第１の変動方向の戻り方向となる第２の変動方向（例えば、上方向。ただし、第１の変動方向に対して反対とは限らない）を指定する第２変動方向指定データと、第２変動方向指定データに基づいて、識別情報が第２の変動方向に変動する際の戻り位置を識別情報毎に指定する識別情報毎の戻り位置データ（例えば、図６のテーブル）と、前記停止識別情報決定手段により決定された最終停止識別情報の最終停止位置を指定する停止位置データと、を記憶する制御データ記憶手段と、
を備え、
前記変動表示制御手段（例えば、ＣＰＵ１３３）は、
前記識別情報の変動表示の開始から変動の停止までの間（特図変動中）、前記制御データ記憶手段（制御ＲＯＭ１３４）に記憶された第１変動方向指定データ（例えば、変動速度・方向テーブルＴ２に格納されたデータ）に基づいて、前記画像データ特定手段により特定された画像データを読み出して表示画像を生成し、前記画像表示装置に出力する処理を順次繰り返すことにより、第１の変動方向へ変動する識別情報の変動表示処理を行い、前記停止識別情報決定手段により決定された識別情報で停止する際には、前記制御データ記憶手段に記憶された第２変動方向指定データと停止する識別情報に応じた戻り位置データとに基づいて、前記画像データ特定手段により特定される画像データを読み出して表示画像を生成し、前記画像表示装置に出力する処理を順次繰り返すことにより、識別情報に応じた戻り位置まで第２の変動方向へ変動する識別情報の変動表示を行い、前記制御データ記憶手段に記憶されている第１の変動方向指定データと停止位置データとに基づいて、前記画像データ特定手段により特定された画像データを読み出して、表示画像を生成し、前記画像表示装置に出力する処理を順次繰り返すことにより、最終停止位置まで第１の変動方向へ変動する識別情報の変動表示処理を行う、
ことを特徴とする。
【手続補正６】
【補正対象書類名】明細書
【補正対象項目名】００１３
【補正方法】変更
【補正の内容】
【００１３】
また、請求項３に記載の遊技機においては、前記画像データ特定手段が計時手段（例えば、発振回路１３１とＣＰＵ１３３）を備え、前記計時手段が所定時間（例えば、３０ｍｓ）を計時する度に、前記特定データ記憶手段に記憶された前記特定情報に従って異なる表示態様で識別情報を表示するための画像データを特定する、ことを特徴とする。
【手続補正７】
【補正対象書類名】明細書
【補正対象項目名】００１４
【補正方法】変更
【補正の内容】
【００１４】
さらに、請求項４に記載の遊技機は、前記識別情報は、第１の表示画像と第２表示画像との２つの表示画像から構成され、前記画像データ記憶手段は、各識別情報について、第１表示画像（例えば、特別図柄としての数字）の画像データと、第２表示画像（例えば、特別図柄としてのキャラクタ画像）の画像データとを記憶し、前記画像データ特定手段は、各前記識別情報について、変動表示の開始から変動の停止までの間で所定の演出表示条件が成立した後の所定の演出表示期間には、第１と第２の表示画像のうちから１つの表示画像（例えば、数字）を特定し、変動表示の開始から変動の停止までの間の前記演出表示期間以外の通常表示期間には、２つの表示画像を特定し、前記変動表示制御手段は、前記通常表示期間には、前記画像データ特定手段により特定された２つの表示画像の画像データを前記画像データ記憶手段より読み出して表示画像を生成し、画像表示装置に出力する処理を順次繰り返し、前記演出表示期間には、前記特定手段により特定された１つの表示画像の画像データを前記画像データ記憶手段より読み出して表示画像を生成し、画像表示装置に出力する処理を順次繰り返す、ことを特徴とする。
【手続補正８】
【補正対象書類名】明細書
【補正対象項目名】００１６
【補正方法】変更
【補正の内容】
【００１６】
請求項６に記載のコンピュータプログラムは、
コンピュータを、
所定の変動開始条件の成立により、各々が識別可能な複数種類の識別情報の変動表示画像を画像表示装置に表示する変動表示制御手段（主基板１１及び表示制御基板１２）を備え、前記識別情報の変動表示が特定表示結果となったときに、遊技状態を遊技者に有利な特定遊技状態に制御する遊技機であって、
前記複数種類の識別情報のそれぞれを、複数の表示態様で表示するための画像データ（絵のデータ）を記憶する画像データ記憶手段（画像ＲＯＭ１３７）、
前記画像データ記憶手段に記憶された前記識別情報の種類と配列を特定するための識別情報配列特定情報（特別図柄の番号０〜９）を記憶する特定データ記憶手段（制御ＲＯＭ１３４）、
前記画像表示装置上の識別情報の変動速度と、該識別情報の配列に関する変動方向とを指定する変動速度方向指定手段（ＣＰＵ１３３と表示制御データを格納している制御ＲＯＭ１３４）、
前記画像表示装置上で、表示する識別情報を特定するための表示領域の大きさ（サイズ）を特定する表示領域特定手段（ＣＰＵ１３３と制御ＲＯＭ１３４）、
前記変動速度方向指定手段により指定された変動速度と変動方向と、前記特定データ記憶手段に記憶されている前記識別情報配列特定情報により特定される識別情報の配列とに従って、表示対象の識別情報の配列情報を特定し、特定した配列情報に基づいて、前記表示領域特定手段により特定された大きさの表示領域内の表示対象の画像データを特定する画像データ特定手段（ＣＰＵ１３３と表示制御データを格納している制御ＲＯＭ１３４）、
識別情報の変動表示結果となる最終停止識別情報を決定する停止識別情報決定手段、
前記変動速度方向指定手段により指定する識別情報の変動方向として予め定めた第１の変動方向を指定する第１変動方向指定データと、前記第１の変動方向の戻り方向となる第２の変動方向を指定する第２変動方向指定データと、前記第２変動方向指定データに基づいて、識別情報が第２の変動方向に変動する際の戻り位置を識別情報の毎に指定する識別情報毎の戻り位置データと、前記停止識別情報決定手段により決定された最終停止識別情報の最終停止位置を指定する停止位置データと、を記憶する制御データ記憶手段、
として機能させ、
さらに、
前記変動表示制御手段が、
前記識別情報の変動表示の開始から変動の停止までの間、前記制御データ記憶手段に記憶された第１変動方向指定データに基づいて、前記画像データ特定手段により特定された画像データを読み出して表示画像を生成し、前記画像表示装置に出力する処理を順次繰り返すことにより、第１の変動方向へ変動する識別情報の変動表示処理を行い、前記停止識別情報決定手段により決定された識別情報で停止する際には、前記制御データ記憶手段に記憶された第２変動方向指定データと停止する識別情報に応じた戻り位置データとに基づいて、前記画像データ特定手段により特定される画像データを読み出して表示画像を生成し、前記画像表示装置に出力する処理を順次繰り返すことにより、識別情報に応じた戻り位置まで第２の変動方向へ変動する識別情報の変動表示を行い、前記制御データ記憶手段に記憶されている第１変動方向指定データと停止位置データとに基づいて、前記画像データ特定手段により特定された画像データを読み出して、表示画像を生成し、前記画像表示装置に出力する処理を順次繰り返すことにより、最終停止位置まで第１の変動方向へ変動する識別情報の変動表示処理を行う、
ようにコンピュータを制御する。
【手続補正９】
【補正対象書類名】明細書
【補正対象項目名】００１９
【補正方法】変更
【補正の内容】
【００１９】
請求項３に記載の遊技機によれば、表示態様の変更を所定期間の計時ごとに行うので制御負担が小さい。また、識別情報の変動速度とは独立したタイミングで表示態様を更新することにより、変化に富んだ変動表示を行うことが可能となる。
【手続補正１０】
【補正対象書類名】明細書
【補正対象項目名】００７３
【補正方法】変更
【補正の内容】
【００７３】
さらに、制御ＲＯＭ１３４には、特別図柄の表示領域（図５（ａ）のＤＬ，ＤＣ，ＤＲ）の大きさを特定するデータとして図１０（ｂ）に示すように変動パターン（標準（縦スクロールで各表示領域に縦方向に特別図柄を３つ配置する）、１図柄（縦スクロールで各表示領域に１つの特別図柄を配置する）、横スクロール等）に対応した表示領域サイズ、表示領域それぞれの表示位置、抽出する特別図柄の数、表示領域の基準位置、特別図柄の拡大率、回転位置が記憶されている。
【手続補正１１】
【補正対象書類名】明細書
【補正対象項目名】００９４
【補正方法】変更
【補正の内容】
【００９４】
このように、特別図柄の変動パターンを指定するそれぞれのデータを制御ＲＯＭ１３４に上記のように格納して制御することにより、特別図柄の配列やアニメ変動（両像変化・画像変化順）を変動パターンごとにすべて記憶する必要がなくなり、記憶容量（画像ＲＯＭ１３７またはＶＲＡＭ１３８）を低減することが可能となる。また、表示制御基板１２のＣＰＵ１３３は、常時指定された画像データを生成し表示領域の範囲でクリッビングするといった定型処理を実行することにより制御負担を軽減することができる。また、表示領域の大きさや、特別図柄の変動方向のデータのみを変えることにより、特別図柄の変動態様を制御負担を増加せずに増加し、縦スクロールから横スクロールといった多彩な特別図柄の変動態様を制御することが可能とし、さらに遊技者への遊技演出を向上させることができる。
【手続補正１２】
【補正対象書類名】明細書
【補正対象項目名】０１２５
【補正方法】変更
【補正の内容】
【０１２５】
また、ＣＰＵ１３３は、発振回路１３１の基準クロックをカウントして、一定期間を計測する度に、図２０に示す描画指示処理を実行する。
【手続補正１３】
【補正対象書類名】明細書
【補正対象項目名】０１３５
【補正方法】変更
【補正の内容】
【０１３５】
さらに、読み出した画像データを拡大・縮小・回転・透過処理を行って配置し直して、ＶＲＡＭ１３８上に展開する（ステップＳ５１２）。
【手続補正１４】
【補正対象書類名】明細書
【補正対象項目名】０１３６
【補正方法】変更
【補正の内容】
【０１３６】
次に、展開した画像データを通知されたクリッピング範囲でクリッピングする（ステップＳ５１３）。
【手続補正１５】
【補正対象書類名】図面
【補正対象項目名】図３
【補正方法】変更
【補正の内容】
【図３】
2005192719.tif 000001
【手続補正１６】
【補正対象書類名】図面
【補正対象項目名】図１７
【補正方法】変更
【補正の内容】
【図１７】
2005192719.tif 000002